(57)【要約】【課題】相手側コネクタの接続端子部に押圧接触する複数の導電コンタクトを、狭ピッチをもって配列配置することができ、しかも、導電コンタクトの絶縁ハウジングからの剥離を簡単な構造をもって確実に回避することができるコネクタ装置とする。【解決手段】絶縁ハウジング１２における嵌合部１３に嵌合した相手側コネクタの接続端子部に押圧接触するものとされる導電コンタクト１４を、細長板状体が屈曲されて形成され、細長板状体の一端部が、嵌合部１３の外部に導出されて接続部１４Ａとされ、細長板状体の他の部分が、相手側コネクタの接続端子部に接触する接触部１４Ｂとされ、さらに、細長板状体の他端部１４Ｃが、板厚方向に凹んだ部分を成す係合部１６が設けられて、嵌合部１３を形成する絶縁ハウジング１２中に埋設されるものとする。【選択図】図５
2008066033.tif 000002
【特許請求の範囲】
【請求項１】
相手側コネクタの接続部分が嵌合する嵌合部を形成する絶縁ハウジングと、
上記嵌合部に配列配置されて設けられ、上記嵌合部に嵌合した接続部分を有する相手側コネクタに設けられた接続端子部に押圧接触するものとされる複数の導電コンタクトと、
を備えて成り、
上記導電コンタクトが、細長板状体が屈曲されて形成され、上記細長板状体の第１の部分が、上記嵌合部の外部に導出されて接続部とされ、上記細長板状体の第２の部分が、上記接続端子部に接触する接触部とされ、さらに、上記細長板状体の第３の部分が、板厚方向に凹んだ部分もしくは突出した部分を成す係合部が設けられて、上記嵌合部を形成する上記絶縁ハウジング中に埋設されるものとされることを特徴とするコネクタ装置。
【請求項２】
上記嵌合部を形成する上記絶縁ハウジングが合成樹脂材によって成形され、上記細長板状体の第３の部分に設けられた上記係合部が、上記合成樹脂材に密接係合するものとされることを特徴とする請求項１記載のコネクタ装置。
【請求項３】
上記細長板状体の第３の部分が、上記細長板状体における屈曲部とされることを特徴とする請求項１または２記載のコネクタ装置。
【請求項４】
上記細長板状体の第１の部分及び第３の部分の各々が、上記細長板状体の一端部及び他端部とされることを特徴とする請求項１，２または３記載のコネクタ装置。
【請求項５】
上記細長板状体の相対向する第１及び第２の面のうちの第１の面側に上記接触部が設けられ、上記係合部が上記細長板状体の上記第２の面側に設けられることを特徴とする請求項１から請求項４までのいずれかに記載のコネクタ装置。
【請求項６】
上記細長板状体の相対向する第１及び第２の面のうちの第１の面側に上記接触部が設けられ、上記係合部が上記細長板状体の上記第１の面側に設けられることを特徴とする請求項１から請求項４までのいずれかに記載のコネクタ装置。
【請求項７】
上記細長板状体の第１の部分が成す上記接続部が、配線基板に設けられた接続配線部に半田付けされることを特徴とする請求項１から請求項６までのいずれかに記載のコネクタ装置。
【発明の詳細な説明】
【技術分野】
【０００１】
本願の特許請求の範囲に記載された発明は、配線基板に取り付けられたもとで、ケーブルやフレキシブル印刷配線基板（ＦＰＣ）等が連結された相手側コネクタの嵌合接続がなされるコネクタ装置に関する。
【背景技術】
【０００２】
例えば、比較的小型なフレキシブル印刷配線基板を、各種の電気部品が取り付けられるソリッド印刷配線基板に接続するにあたっては、フレキシブル印刷配線基板が連結される第１のコネクタ装置と、ソリッド印刷配線基板に電気的接続がなされて取り付けられ、第１のコネクタ装置が相手側コネクタとして嵌合接続される第２のコネクタ装置とが用いられる。相手側コネクタ（第１のコネクタ装置）には、例えば、フレキシブル印刷配線基板との電気的接続がなされた複数の接続端子部が配された接続部分が設けられる。一方、第２のコネクタ装置には、それを構成する絶縁ハウジングに、相手側コネクタの接続部分が嵌合する嵌合部が設けられるものとされる。そして、その嵌合部に、一端部が接続部とされてソリッド印刷配線基板に接続されたもとで、相手側コネクタの接続部分に配された複数の接続端子部に夫々押圧接触する、複数の導電コンタクトが配列配置されて設けられる。
【０００３】
このような、第２のコネクタ装置とされるコネクタ装置に備えられる複数の導電コンタクトは、それらの各々が、合金薄板等の板状導体部材により形成されて、相手側コネクタに備えられた接続端子部との押圧接触状態におかれる接触部が設けられるものとされる。そして、導電コンタクトの接触部を含む部分は、絶縁ハウジングにおける嵌合部を形成する部分の表面部に配されて、外部に露出する状態におかれる。
【０００４】
それにより、導電コンタクトが配された嵌合部が設けられたコネクタ装置のその嵌合部に、相手側コネクタの接続部分が嵌合するときには、それに設けられた複数の接続端子部の夫々が、コネクタ装置の絶縁ハウジングにおける嵌合部を形成する部分の表面部に配されて外部に露出する導電コンタクトの接触部に摺動接触して、その接続端子部に導電コンタクトの接触部が押圧接触する状態がとられる。また、コネクタ装置の嵌合部に嵌合した相手側コネクタの接続部分が、その嵌合部から離脱するときには、相手側コネクタの接続部分に設けられた複数の接続端子部の夫々が、それに対して押圧接触する導電コンタクトの接触部から摺動離脱するものとされる。
【０００５】
コネクタ装置の嵌合部に対する相手側コネクタの接続部分の嵌合、及び、コネクタ装置の嵌合部に嵌合した相手側コネクタの嵌合部からの離脱が繰り返されると、コネクタ装置において、絶縁ハウジングにおける嵌合部を形成する部分に設けられる導電コンタクトが、その接触部を含む部分の変形あるいは変位により、絶縁ハウジングにおける嵌合部を形成する部分の表面部に対する密着状態を維持できず、当該表面部からの剥離を生じる虞がある。一旦、導電コンタクトの絶縁ハウジングにおける嵌合部を形成する部分の表面部からの剥離が生じると、コネクタ装置の嵌合部に相手側コネクタの接続部分が嵌合するとき、相手側コネクタの接続部分に設けられた複数の接続端子部の夫々に対する、コネクタ装置の絶縁ハウジングにおける嵌合部を形成する部分に設けられた導電コンタクトの接触部の押圧接触が、適正に行われなくなって、接触不良が生じることになる。
【０００６】
そこで、従来においては、相手側コネクタの接続部分が嵌合する嵌合部が形成された絶縁ハウジングを備え、その嵌合部に複数の導電コンタクトが設けられたコネクタ装置について、導電コンタクトの絶縁ハウジングからの剥離を生じ難くすることについての提案がなされている。斯かる提案の一つにあっては、配列配置される複数の導電コンタクトの夫々における、接触部を形成する面を外部に露出させるもとで絶縁ハウジングに埋め込まれる部分に、その幅方向（配列方向）の両側部の各々から外方に突出する舌片部分を設けている。即ち、各導電コンタクトの一部に、その幅方向（配列方向）の両側部の各々から、導電コンタクトの絶縁ハウジングからの剥離方向とは実質的に直交する方向をもって、外方に突出する舌片部分を設け、導電コンタクトにおける舌片部分が設けられた部分を絶縁ハウジングに埋め込み、それによって、導電コンタクトの絶縁ハウジングからの剥離を回避するようにしているのである（例えば、特許文献１参照。）。
【０００７】
また、上記提案の他の一つにあっては、配列配置される複数の導電コンタクトの夫々を、細長い導電板部材を屈曲させて形成し、各導電コンタクトにおける接触部を形成する部分から伸びるそれに略直交する方向に屈曲された部分が、嵌合部を形成する絶縁ハウジングに埋め込まれることになるものとしている。斯かる場合には、導電コンタクトにおける、接触部を形成する部分からそれに略直交する方向に屈曲されて絶縁ハウジングに埋め込まれた部分を、導電コンタクトの絶縁ハウジングからの剥離に対する抵抗力を生じるものとし、それによって、導電コンタクトの絶縁ハウジングからの剥離を回避するようにしている（例えば、特許文献２参照。）。
【０００８】
【特許文献１】特開平１１−２６１０１号公報（第４頁、図２，図１１）
【特許文献２】特開２００３−２８８９６６号公報（第２，３頁、図５，図８）
【発明の開示】
【発明が解決しようとする課題】
【０００９】
上述の特許文献１に示されるように、配列配置される複数の導電コンタクトの夫々における絶縁ハウジングに埋め込まれる部分に、その幅方向（配列方向）の両側部の各々から外方に突出する舌片部分を設ける場合には、複数の導電コンタクトを配列配置するにあたっての不都合がもたらされる。即ち、配列配置される複数の導電コンタクトの夫々における絶縁ハウジングに埋め込まれる部分に設けられる舌片部分は、当該導電コンタクトから隣接する他の導電コンタクトに向かって突出するものとなる。従って、相互隣接する二つの導電コンタクトの間に、両導電コンタクトから夫々突出する舌片部分が相互接触することがないようにするための、舌片部分が存在しない場合に比して大なるスペースが要される。その結果、複数の導電コンタクトを狭ピッチをもって配列配置することができず、コネクタ装置全体の小型化に支障が生じることになってしまう。
【００１０】
また、特許文献２に示されるように、配列配置される複数の導電コンタクトの夫々における接触部を形成する部分から伸びるそれに略直交する方向に屈曲された部分が、絶縁ハウジングに埋め込まれることになるものとする場合には、導電コンタクトの絶縁ハウジングからの剥離を防ぐ作用効果が充分に得られないという問題がある。導電コンタクトにおける屈曲されて絶縁ハウジングに埋め込まれる部分が導電コンタクトに及ぼす、絶縁ハウジングからの剥離に対する抵抗力は、当該部分が絶縁ハウジングに密着する状態におかれることにより生じる。しかしながら、相手側コネクタの接続部分の嵌合部への嵌合あるいは嵌合部からの離脱に起因する導電コンタクトにおける接触部を含む部分の変形あるいは変位は、接触部を含む部分に略直交する方向に屈曲された部分にも、それを微小に変位させる等の影響を及ぼし、それにより、導電コンタクトにおける屈曲されて絶縁ハウジングに埋め込まれる部分の絶縁ハウジングに対する密着性が低下する。その結果、導電コンタクトにおける屈曲されて絶縁ハウジングに埋め込まれる部分によりもたらされる、導電コンタクトの絶縁ハウジングからの剥離を防ぐ作用効果が、充分に得られなくなってしまうのである。
【００１１】
斯かる点に鑑み、本願の特許請求の範囲に記載された発明は、相手側コネクタの接続部分が嵌合する嵌合部が設けられる絶縁ハウジングと、絶縁ハウジングにおける嵌合部を形成する部分に当該部分の表面部に配される部分を有して設けられる導電コンタクトと、を備えて構成され、複数の導電コンタクトを狭ピッチをもって配列配置することができ、しかも、導電コンタクトの絶縁ハウジングからの剥離を簡単な構造をもって確実に回避することができるコネクタ装置を提供する。
【課題を解決するための手段】
【００１２】
本願の特許請求の範囲における請求項１から請求項７までのいずれかに記載された発明（以下、本発明という。）に係るコネクタ装置は、相手側コネクタの接続部分が嵌合する嵌合部を形成する絶縁ハウジングと、嵌合部に配列配置されて設けられ、嵌合部に嵌合した接続部分を有する相手側コネクタに設けられた接続端子部に押圧接触するものとされる複数の導電コンタクトとを備えて成り、導電コンタクトが、細長板状体が屈曲されて形成され、細長板状体の第１の部分が、嵌合部の外部に導出されて接続部とされ、細長板状体の第２の部分が、相手側コネクタの接続部分に設けられた接続端子部に接触する接触部とされ、さらに、細長板状体の第３の部分が、板厚方向に凹んだ部分もしくは突出した部分を成す係合部が設けられて、嵌合部を形成する絶縁ハウジング中に埋設されることを特徴とする。
【００１３】
特に、本発明に係るコネクタ装置のうちの、請求項２に記載されたものにあっては、嵌合部を形成する絶縁ハウジングが合成樹脂材によって成形され、導電コンタクトを形成する細長板状体の第３の部分に設けられた係合部が、絶縁ハウジングを形成する合成樹脂材に密接係合するものとされる。
【００１４】
上述のように構成される本発明に係るコネクタ装置にあっては、絶縁ハウジングにおける相手側コネクタの接続部分が挿入される嵌合部を形成する部分に、嵌合部に嵌合した接続部分を有する相手側コネクタに設けられた接続端子部に押圧接触する複数の導電コンタクトが設けられる。導電コンタクトは、細長板状体が屈曲されて形成され、嵌合部の外部に導出されて接続部とされる第１の部分と、相手側コネクタに設けられた接続端子部に接触する接触部とされる第２の部分と、嵌合部を形成する絶縁ハウジング中に埋設される第３の部分とを有するものとされる。そして、導電コンタクトを形成する細長板状体の第３の部分は、その板厚方向に凹んだ部分もしくは突出した部分を成す係合部が設けられ、その係合部を伴って絶縁ハウジング中に埋め込まれる。
【００１５】
例えば、絶縁ハウジングが合成樹脂材によって成形されて、導電コンタクトを形成する細長板状体の第３の部分が合成樹脂材中に埋め込まれるもとにあって、導電コンタクトを形成する細長板状体の第３の部分に設けられる係合部は、合成樹脂材に密接係合するものとされる。
【発明の効果】
【００１６】
上述の本発明に係るコネクタ装置にあっては、絶縁ハウジングにおける相手側コネクタの接続部分が挿入される嵌合部を形成する部分に設けられて、嵌合部に嵌合した接続部分を有する相手側コネクタに設けられた接続端子部に押圧接触する導電コンタクトが、それを形成する細長板状体の第３の部分が絶縁ハウジング中に埋設されるものとされ、絶縁ハウジング中に埋設される第３の部分には、その板厚方向に凹んだ部分もしくは突出した部分を成す係合部が設けられる。それにより、例えば、合成樹脂材により形成される絶縁ハウジング中に埋設された第３の部分に設けられた係合部が、例えば、絶縁ハウジングを形成する合成樹脂材に板厚方向に凹んだ部分もしくは突出した部分をもって密接係合することになり、第３の部分の絶縁ハウジング中における移動に対する抵抗力を生じる。その結果、絶縁ハウジング中に埋設された第３の部分は、たとえ、絶縁ハウジングとの密着性が低下したとしても、絶縁ハウジングから抜け出すことがなく、絶縁ハウジング中に確実に留められる。仮に、絶縁ハウジング中に埋設された第３の部分が絶縁ハウジングから抜け出すとすると、その第３の部分を有する細長板状体により形成された導電コンタクトが絶縁ハウジングから剥離することになるが、そのような事態は生じない。
【００１７】
このようなもとで、絶縁ハウジングが形成する嵌合部に相手側コネクタの接続部分が嵌合し、導電コンタクトが嵌合部に嵌合した接続部分を有する相手側コネクタに設けられた接続端子部に押圧接触するとき、あるいは、嵌合部に嵌合した相手側コネクタの接続部分が嵌合部から離脱し、導電コンタクトが相手側コネクタに設けられた接続端子部に対する押圧接触から解放されるとき、導電コンタクトを形成する細長板状体における接触部を形成する第２の部分が、僅かな変形あるいは変位を生じる。斯かる細長板状体における第２の部分の変形あるいは変位は、絶縁ハウジング中に埋設された細長板状体の第３の部分にも、例えば、微小な変位を生じさせるような影響を及ぼし、絶縁ハウジング中に埋設された細長板状体の第３の部分の絶縁ハウジングに対する密着性を低下させることが考えられる。
【００１８】
しかしながら、絶縁ハウジング中に埋設された細長板状体の第３の部分の絶縁ハウジングに対する密着性が低下したとしても、前述のように、板厚方向に凹んだ部分もしくは突出した部分をもって絶縁ハウジングに係合する係合部の作用により、細長板状体の第３の部分は、絶縁ハウジングから抜け出すことがなく、絶縁ハウジング中に確実に留められる。その結果、その第３の部分を有する細長板状体により形成された導電コンタクトが絶縁ハウジングから剥離する事態を、比較的簡単な構造をもって確実に回避できることになる。
【００１９】
しかも、導電コンタクトを形成する細長板状体の第３の部分に設けられる係合部は、第３の部分の板厚方向に凹んだ部分もしくは突出した部分として形成され、第３の部分の幅方向、即ち、配列配置される複数の導電コンタクトの配列方向には突出しないものとされる。従って、複数の導電コンタクトのうちの相互隣接する二つの導電コンタクトの間のスペースは、比較的小なるもので足り、その結果、複数の導電コンタクトを狭ピッチをもって配列配置することができて、コネクタ装置全体の小型化を効果的に図れることになる。
【発明を実施するための最良の形態】
【００２０】
本発明を実施するための最良の形態は、以下に述べられる本発明についての実施例をもって説明される。
【実施例１】
【００２１】
図１（斜視図），図２（平面図），図３（正面図）及び第４図（側面図）は、本発明に係るコネクタ装置の第１の例を示す。
【００２２】
図１〜図４において、本発明に係るコネクタ装置の第１の例を成すコネクタ装置１１は、配線基板（図示省略）に取り付けられて用いられるものとされ、例えば、絶縁材料である合成樹脂材によって形成された、絶縁ハウジング１２を備えている。絶縁ハウジング１２は、コネクタ装置１１に連結される他のコネクタ装置である相手側コネクタ（図示省略）の接続部分が嵌合するものとされる嵌合部１３を、凹部を成すものとして形成している。斯かるコネクタ装置１１にあっては、絶縁ハウジング１２は、全体として、蓋体を有さない長方形の箱型を成すものとされている。
【００２３】
絶縁ハウジング１２における嵌合部１３を形成する部分のうちの、絶縁ハウジング１２の長手方向（図１において矢印Ｘにより示される方向。以下、Ｘ方向という。）に伸びて相互対向する一対の側壁部１２Ａ及び１２Ｂの夫々に、複数の導電コンタクト１４が配列配置されて設けられている。従って、一対の側壁部１２Ａ及び１２Ｂの夫々における複数の導電コンタクト１４の配列方向がＸ方向とされていることになる。これら複数の導電コンタクト１４は、嵌合部１３に相手側コネクタの接続部分が嵌合するとき、各々が当該相手側コネクタに設けられた接続端子部に押圧接触する状態におかれる。
【００２４】
複数の導電コンタクト１４の夫々は、例えば、金属薄板部材とされる導電性を有した細長板状体が屈曲されて形成される。そして、導電コンタクト１４を形成する細長板状体の一端部が、絶縁ハウジング１２が形成する嵌合部１３の外部、即ち、側壁部１２Ａあるいは側壁部１２Ｂの外方に導出されて接続部１４Ａとされる。また、導電コンタクト１４を形成する細長板状体の他の部分が、側壁部１２Ａあるいは側壁部１２Ｂの表面部に配され、上述の相手側コネクタに設けられた接続端子部に接触する接触部１４Ｂとされる。接触部１４Ｂは、導電コンタクト１４を形成する細長板状体の幅方向（複数の導電コンタクト１４の配列方向、即ち、Ｘ方向）に伸びる細条隆起部を形成するものとされている。この細条隆起部を形成する接触部１４Ｂが相手側コネクタに設けられた接続端子部に接触することにより、導電コンタクト１４が相手側コネクタに設けられた接続端子部に押圧接触する状態がとられる。
【００２５】
また、絶縁ハウジング１２における嵌合部１３を形成する部分のうちの、絶縁ハウジング１２の長手方向に直交する方向（図１において矢印Ｙにより示される方向。以下、Ｙ方向という。）に伸びて相互対向する一対の側壁部１２Ｃ及び１２Ｄの夫々に、係止部材１５が取り付けられている。係止部材１５は、絶縁ハウジング１２が形成する嵌合部１３の外部、即ち、側壁部１２Ｃあるいは側壁部１２Ｄの外方に導出される接続部１５Ａと、嵌合部１３に嵌合した接続部分を有する相手側コネクタに係合して、当該相手側コネクタを係止する係合突起１５Ｂと、が設けられたものとされる。
【００２６】
複数の導電コンタクト１４の夫々を形成する細長板状体における接続部１４Ａ、及び、二つの係止部材１５の夫々における接続部１５Ａは、コネクタ装置１１が取り付けられる配線基板に設けられた接続配線部に、半田付けされて電気的に接続される。
【００２７】
複数の導電コンタクト１４の夫々は、図３における V-V線断面をあらわす図５に示され、さらに、図６において単体で示される例のように、それを形成すべく屈曲された細長板状体が、絶縁ハウジング１２が形成する嵌合部１３の外部に導出される接続部１４Ａとされる一端部と、側壁部１２Ａあるいは側壁部１２Ｂの表面部に配され、嵌合部１３に嵌合した接続部分を有する相手側コネクタに設けられた接続端子部に接触する接触部１４Ｂとに加えて、絶縁ハウジング１２における嵌合部１３を形成する部分のうちの側壁部１２Ａあるいは側壁部１２Ｂ中に埋設される他端部１４Ｃを有したものとされる。この他端部１４Ｃは、導電コンタクト１４を形成する細長板状体における屈曲部とされており、また、他端部１４Ｃには、その板厚方向に凹んだ部分を成す係合部１６が設けられている。
【００２８】
即ち、導電コンタクト１４を形成する細長板状体における屈曲部とされる他端部１４Ｃは、その板厚方向に凹んだ部分を成す係合部１６が設けられて、絶縁ハウジング１２における嵌合部１３を形成する部分のうちの側壁部１２Ａあるいは側壁部１２Ｂ中に埋設されるのである。その際、絶縁ハウジング１２が、例えば、合成樹脂材によって形成されたもとにあって、他端部１４Ｃに設けられた係合部１６は、その板厚方向に凹んだ部分に絶縁ハウジング１２を形成する合成樹脂材が流入するものとされて、当該凹んだ部分をもって絶縁ハウジング１２に密接係合する状態におかれる。
【００２９】
それにより、導電コンタクト１４を形成する細長板状体の他端部１４Ｃは、板厚方向に凹んだ部分を成す係合部１６を伴って絶縁ハウジング１２中に埋設されることになり、係合部１６は、絶縁ハウジング１２中において、図５に矢印Ｙにより示されるＹ方向の移動に対する抵抗力を生じる。その結果、他端部１４Ｃは、係合部１６の作用により、たとえ、絶縁ハウジング１２との密着性が低下したとしても、絶縁ハウジング１２からＹ方向に抜け出すことがなく、絶縁ハウジング１２中に確実に留められるものとされる。
【００３０】
このようなもとで、絶縁ハウジング１２が形成する嵌合部１３に相手側コネクタの接続部分が嵌合し、導電コンタクト１４が嵌合部１３に嵌合した接続部分を有する相手側コネクタに設けられた接続端子部に押圧接触する状態がとられる。そして、導電コンタクト１４が相手側コネクタに設けられた接続端子部に押圧接触するとき、あるいは、嵌合部１３に嵌合した相手側コネクタの接続部分が嵌合部１３から離脱し、導電コンタクト１４が相手側コネクタに設けられた接続端子部に対する押圧接触から解放されるとき、導電コンタクト１４を形成する細長板状体における接触部１４Ｂが、僅かな変形あるいは変位を生じる。斯かる細長板状体における接触部１４Ｂの変形あるいは変位は、絶縁ハウジング１２における側壁部１２Ａあるいは側壁部１２Ｂ中に埋設された細長板状体の他端部１４Ｃにも、例えば、微小な変位を生じさせるような影響を及ぼし、その他端部１４Ｃの絶縁ハウジング１２に対する密着性を低下させることが考えられる。
【００３１】
上述のようにして、絶縁ハウジング１２における側壁部１２Ａあるいは側壁部１２Ｂ中に埋設された細長板状体の他端部１４Ｃの絶縁ハウジング１２に対する密着性が低下したとしても、前述のように、板厚方向に凹んだ部分をもって絶縁ハウジング１２に係合する係合部１６の作用により、細長板状体の他端部１４Ｃは、絶縁ハウジング１２からＹ方向に抜け出すことがなく、絶縁ハウジング１２中に確実に留められる。その結果、その他端部１４Ｃを有する細長板状体により形成された導電コンタクト１４が絶縁ハウジング１２から剥離する事態を、比較的簡単な構造をもって確実に回避できることになる。
【００３２】
また、導電コンタクト１４を形成する細長板状体の他端部１４Ｃに設けられる係合部１６は、他端部１４Ｃの板厚方向に凹んだ部分として形成され、他端部１４Ｃの幅方向、即ち、配列配置される複数の導電コンタクト１４の配列方向（Ｘ方向）には突出しない。従って、複数の導電コンタクト１４のうちの相互隣接する２個の間のスペースは、比較的小なるもので足りる。その結果、複数の導電コンタクト１４が、狭ピッチをもって配列配置することができるものとされ、コネクタ装置１１の全体の小型化を効果的に図れることになる。
【００３３】
なお、図５及び図６に示される導電コンタクト１４の例にあっては、それを形成する細長板状体の相対向する二つの面である第１及び第２の面のうちの第１の面側に接触部１４Ｂが設けられ、第２の面側に他端部１４Ｃにおける係合部１６が設けられているが、導電コンタクト１４は、斯かる例に限られるものではなく、それを形成する細長板状体の相対向する二つの面である第１及び第２の面のうちの第１の面側に接触部１４Ｂが設けられ、他端部１４Ｃにおける係合部１６も第１の面側に設けられるようにされてもよい。斯かる場合においても、導電コンタクト１４を形成する細長板状体の他端部１４Ｃに設けられる係合部１６の作用は、上述の図５及び図６に示されるの例の場合と同様である。さらに、図５及び図６に示される導電コンタクト１４の例にあっては、係合部１６が屈曲部に形成されているが、係合部１６は、導電コンタクト１４における絶縁ハウジング１２に埋設される部分のいずれかの位置に形成されて、上述の図５及び図６に示される導電コンタクト１４の例の場合と同様の効果が得られるようにされてもよい。
【実施例２】
【００３４】
図７は、本発明に係るコネクタ装置の第２の例を、図５に示される第１の例の断面に相当する断面をもって示す。
【００３５】
図７に示される本発明に係るコネクタ装置の第２の例を成すコネクタ装置２１も、配線基板（図示省略）に取り付けられて用いられるものとされ、例えば、絶縁材料である合成樹脂材によって形成された、第１の例が備えるものと同様の絶縁ハウジング１２を備えている。絶縁ハウジング１２は、第１の例の場合と同様に、相手側コネクタ（図示省略）の接続部分が嵌合するものとされる嵌合部１３を、凹部を成すものとして形成しており、絶縁ハウジング１２における嵌合部１３を形成する部分には、絶縁ハウジング１２の長手方向（Ｘ方向）に伸びて相互対向する一対の側壁部１２Ａ及び１２Ｂと絶縁ハウジング１２の長手方向と直交する方向であるＹ方向に伸びて相互対向する一対の側壁部１２Ｃ及び１２Ｄ（側壁部１２Ｄは図にあらわれていない。）とが含まれる。
【００３６】
絶縁ハウジング１２における側壁部１２Ａ及び１２Ｂの夫々には、第１の例に備えられる複数の導電コンタクト１４に対応する複数の導電コンタクト２２が、絶縁ハウジング１２の長手方向、即ち、Ｘ方向に配列配置されて設けられている（図７には、複数の導電コンタクト２２のうちの２個が示されている。）。これら複数の導電コンタクト２２は、嵌合部１３に相手側コネクタの接続部分が嵌合するとき、各々が当該相手側コネクタに設けられた接続端子部に押圧接触する状態におかれる。
【００３７】
複数の導電コンタクト２２の夫々は、例えば、金属薄板部材とされる導電性を有した細長板状体が屈曲されて形成される。そして、導電コンタクト２２を形成する細長板状体の一端部が、絶縁ハウジング１２が形成する嵌合部１３の外部、即ち、側壁部１２Ａあるいは側壁部１２Ｂの外方に導出されて接続部２２Ａとされる。また、導電コンタクト２２を形成する細長板状体の他の部分が、側壁部１２Ａあるいは側壁部１２Ｂの表面部に配され、上述の相手側コネクタに設けられた接続端子部に接触する接触部２２Ｂとされる。接触部２２Ｂは、導電コンタクト２２を形成する細長板状体の幅方向（複数の導電コンタクト２２の配列方向、即ち、Ｘ方向）に伸びる細条隆起部を形成するものとされている。この細条隆起部を形成する接触部２２Ｂが相手側コネクタに設けられた接続端子部に接触することにより、導電コンタクト２２が相手側コネクタに設けられた接続端子部に押圧接触する状態がとられる。
【００３８】
複数の導電コンタクト２２の夫々を形成する細長板状体における接続部２２Ａは、コネクタ装置２１が取り付けられる配線基板に設けられた接続配線部に、半田付けされて電気的に接続される。
【００３９】
複数の導電コンタクト２２の夫々は、図８において単体で示される例のように、それを形成すべく屈曲された細長板状体が、絶縁ハウジング１２が形成する嵌合部１３の外部に導出される接続部２２Ａとされる一端部と、側壁部１２Ａあるいは側壁部１２Ｂの表面部に配され、嵌合部１３に嵌合した接続部分を有する相手側コネクタに設けられた接続端子部に接触する接触部２２Ｂとに加えて、絶縁ハウジング１２における側壁部１２Ａあるいは側壁部１２Ｂ中に埋設される他端部２２Ｃを有したものとされる。この他端部２２Ｃは、導電コンタクト２２を形成する細長板状体における屈曲部とされており、また、他端部２２Ｃには、その板厚方向に突出した部分を成す係合部２３が設けられている。
【００４０】
即ち、導電コンタクト２２を形成する細長板状体における屈曲部とされる他端部２２Ｃは、その板厚方向に突出した部分を成す係合部２３が設けられて、絶縁ハウジング１２における側壁部１２Ａあるいは側壁部１２Ｂ中に埋設されるのである。その際、絶縁ハウジング１２が、例えば、合成樹脂材によって形成されたもとにあって、他端部２２Ｃに設けられた係合部２３は、その板厚方向に突出した部分が絶縁ハウジング１２を形成する合成樹脂材中に突き出し、当該突出した部分をもって絶縁ハウジング１２に密接係合する状態におかれる。
【００４１】
それにより、導電コンタクト２２を形成する細長板状体の他端部２２Ｃは、板厚方向に突出した部分を成す係合部２３を伴って絶縁ハウジング１２中に埋設されることになり、係合部２３は、絶縁ハウジング１２中において、Ｙ方向の移動に対する抵抗力を生じる。その結果、他端部２２Ｃは、係合部２３の作用により、たとえ、絶縁ハウジング１２との密着性が低下したとしても、絶縁ハウジング１２からＹ方向に抜け出すことがなく、絶縁ハウジング１２中に確実に留められるものとされる。
【００４２】
このようなもとで、絶縁ハウジング１２が形成する嵌合部１３に相手側コネクタの接続部分が嵌合し、導電コンタクト２２が嵌合部１３に嵌合した接続部分を有する相手側コネクタに設けられた接続端子部に押圧接触する状態がとられる。そして、導電コンタクト２２が相手側コネクタに設けられた接続端子部に押圧接触するとき、あるいは、嵌合部１３に嵌合した相手側コネクタの接続部分が嵌合部１３から離脱し、導電コンタクト２２が相手側コネクタに設けられた接続端子部に対する押圧接触から解放されるとき、導電コンタクト２２を形成する細長板状体における接触部２２Ｂが、僅かな変形あるいは変位を生じる。斯かる細長板状体における接触部２２Ｂの変形あるいは変位は、絶縁ハウジング１２における側壁部１２Ａあるいは側壁部１２Ｂ中に埋設された細長板状体の他端部２２Ｃにも、例えば、微小な変位を生じさせるような影響を及ぼし、その他端部２２Ｃの絶縁ハウジング１２に対する密着性を低下させることが考えられる。
【００４３】
上述のようにして、絶縁ハウジング１２における側壁部１２Ａあるいは側壁部１２Ｂ中に埋設された細長板状体の他端部２２Ｃの絶縁ハウジング１２に対する密着性が低下したとしても、前述のように、板厚方向に突出した部分をもって絶縁ハウジング１２に係合する係合部２３の作用により、細長板状体の他端部２２Ｃは、絶縁ハウジング１２からＹ方向に抜け出すことがなく、絶縁ハウジング１２中に確実に留められる。その結果、その他端部２２Ｃを有する細長板状体により形成された導電コンタクト２２が絶縁ハウジング１２から剥離する事態を、比較的簡単な構造をもって確実に回避できることになる。
【００４４】
また、導電コンタクト２２を形成する細長板状体の他端部２２Ｃに設けられる係合部２３は、他端部２２Ｃの板厚方向に突出した部分として形成され、他端部２２Ｃの幅方向、即ち、配列配置される複数の導電コンタクト２２の配列方向（Ｘ方向）には突出しない。従って、複数の導電コンタクト２２のうちの相互隣接する２個の間のスペースは、比較的小なるもので足りる。その結果、複数の導電コンタクト２２が、狭ピッチをもって配列配置することができるものとされ、コネクタ装置２１の全体の小型化を効果的に図れることになる。
【００４５】
なお、図７及び図８に示される導電コンタクト２２の例にあっては、それを形成する細長板状体の相対向する二つの面である第１及び第２の面のうちの第１の面側に接触部２２Ｂが設けられ、第２の面側に他端部２２Ｃにおける係合部２３が設けられているが、導電コンタクト２２は、斯かる例に限られるものではなく、それを形成する細長板状体の相対向する二つの面である第１及び第２の面のうちの第１の面側に接触部２２Ｂが設けられ、他端部２２Ｃにおける係合部２３も第１の面側に設けられるようにされてもよい。斯かる場合においても、導電コンタクト２２を形成する細長板状体の他端部２２Ｃに設けられる係合部２３の作用は、上述の図７及び図８に示されるの例の場合と同様である。さらに、図７及び図８に示される導電コンタクト２２の例にあっては、係合部２３が屈曲部に形成されているが、係合部２３は、導電コンタクト２２における絶縁ハウジング１２に埋設される部分のいずれかの位置に形成されて、上述の図７及び図８に示される導電コンタクト２２の例の場合と同様の効果が得られるようにされてもよい。
【００４６】
図７に示される本発明に係るコネクタ装置の第２の例における上述以外の他の部分は、前述の図１〜５に示される本発明に係るコネクタ装置の第１の例の場合と同様に構成される。
【産業上の利用可能性】
【００４７】
以上のような本発明に係るコネクタ装置は、例えば、ソリッド印刷配線基板に取り付けられたもとで、フレキシブル印刷配線基板等が連結される相手側コネクタの嵌合接続がなされるものとして用いることができ、相手側コネクタにおける接続端子部に押圧接触する導電コンタクトの絶縁ハウジングからの剥離が確実に回避されるものとして、様々な電子機器等に広く適用され得るものである。
【図面の簡単な説明】
【００４８】
【図１】本発明に係るコネクタ装置の第１の例を示す斜視図である。
【図２】本発明に係るコネクタ装置の第１の例を示す平面図である。
【図３】本発明に係るコネクタ装置の第１の例を示す正面図である。
【図４】本発明に係るコネクタ装置の第１の例を示す側面図である。
【図５】図３における V-V線断面をあらわす断面図である。
【図６】本発明に係るコネクタ装置の第１の例に備えられる導電コンタクトを示す側面図である。
【図７】本発明に係るコネクタ装置の第２の例を示す断面図である。
【図８】本発明に係るコネクタ装置の第２の例に備えられる導電コンタクトを示す側面図である。
【符号の説明】
【００４９】
１１，２１・・・コネクタ装置，  １２・・・絶縁ハウジング，  １２Ａ，１２Ｂ，１２Ｃ，１２Ｄ・・・側壁部，  １３・・・嵌合部，  １４，２２・・・導電コンタクト，  １４Ａ，２２Ａ・・・接続部（一端部），  １４Ｂ，２２Ｂ・・・接触部，  １４Ｃ，２２Ｃ・・・他端部，  １５・・・係止部材，  １６，２３・・・係合部
【図１】
2008066033.tif 000003
【図２】
2008066033.tif 000004
【図３】
2008066033.tif 000005
【図４】
2008066033.tif 000006
【図５】
2008066033.tif 000007
【図６】
2008066033.tif 000008
【図７】
2008066033.tif 000009
【図８】
2008066033.tif 000010